(57)【要約】  被処理水のｐＨに基づき被処理水のｐＨを逐次調整することで、被処理水中の有機化合物を効率的に処理可能な水処理システムを得る。処理水３を貯留する処理槽４内に設けられ、放電３５を形成する放電装置３０と、処理槽４内に設けられ、放電３５が形成される空間である放電空間内にアルカリ性廃水である被処理水１を供給する散水部１１と、放電空間を通過した被処理水１である処理水３のｐＨを計測するｐＨ計２７と、処理槽４内に酸素及び窒素を供給する気体供給ユニット２０と、ｐＨに基づき気体供給ユニット２０を制御して、処理槽４内に供給される窒素量を調整する制御装置１２と、を備える。
2020021635.tif 000002
【特許請求の範囲】
【請求項１】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨに基づき前記気体供給ユニットを制御して、前記処理槽内に供給される窒素量を調整する制御装置と、
を備える水処理システム。
【請求項２】
処理槽の上流から供給されるアルカリ性廃水である被処理水を処理水として貯留する前記処理槽内に設けられ、放電を形成する放電装置と、
前記処理槽内に設けられ、前記放電が形成される空間である放電空間内に前記処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨに基づき前記気体供給ユニットを制御して、前記処理槽内に供給される窒素量を調整する制御装置と、
を備える水処理システム。
【請求項３】
前記処理槽に貯留された前記処理水を前記散水部へと送る水循環部を備える請求項１または請求項２に記載の水処理システム。
【請求項４】
前記処理槽内の気体を吸入し、前記処理槽に貯留された前記処理水に前記気体を供給する気体循環部を備える請求項１から請求項３のいずれか１項に記載の水処理システム。
【請求項５】
前記気体供給ユニットは、前記処理槽内に酸素を供給する酸素供給部と、前記処理槽内に窒素を供給する窒素供給部とを備え、
前記制御装置は、前記窒素供給部を間欠動作で制御して前記処理槽内に供給される窒素量を調整することを特徴とする請求項１から請求項４のいずれか１項に記載の水処理システム。
【請求項６】
前記気体供給ユニットは、空気から酸素を分離する酸素発生器であることを特徴とする請求項１から請求項４のいずれか１項に記載の水処理システム。
【請求項７】
前記制御装置は、前記処理水のｐＨが予め決められた値となるように前記処理槽内に供給される窒素量を調整することを特徴とする請求項１から請求項６のいずれか１項に記載の水処理システム。
【請求項８】
前記制御装置は、前記ｐＨが設定値を超える場合に前記気体供給ユニットによって供給される窒素量を増加させ、前記ｐＨが設定値以下の場合に前記気体供給ユニットによって供給される窒素量を減少させることを特徴とする請求項１から請求項７のいずれか１項に記載の水処理システム。
【請求項９】
前記処理槽に貯留された前記処理水の炭酸イオン濃度を計測する炭酸イオン濃度計を備え、
前記制御装置は、前記ｐＨと前記炭酸イオン濃度がいずれも設定値を超える場合に前記気体供給ユニットによって供給される窒素量を増加させ、前記ｐＨと前記炭酸イオン濃度の少なくとも一方が設定値以下の場合に前記気体供給ユニットによって供給される窒素量を減少させることを特徴とする請求項１から請求項６のいずれか１項に記載の水処理システム。
【請求項１０】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記被処理水を貯留する貯留槽と、
前記処理槽内に酸素を供給する酸素供給部と、前記酸素供給部が供給する酸素の一部を用いて前記貯留槽に貯留された前記被処理水を曝気する曝気装置と、を有する気体供給ユニットと、
前記ｐＨに基づき前記気体供給ユニットを制御して、前記貯留槽に供給される酸素量を調整する制御装置と、
を備える水処理システム。
【請求項１１】
前記制御装置は、前記ｐＨが設定値以下の場合に前記酸素供給部が前記曝気装置へ供給する酸素流量を増加させ、前記ｐＨが設定値を超える場合に前記酸素供給部が前記曝気装置へ供給する酸素流量を減少させることを特徴とする請求項１０に記載の水処理システム。
【請求項１２】
前記制御装置は、前記放電装置に電圧を印加する電源の、電圧出力信号又は電流出力信号の少なくとも一つに基づき、前記電源の、電圧出力の波高値、繰り返し周波数又はパルス幅の少なくとも一つを制御することを特徴とする請求項１から請求項１１のいずれか１項に記載の水処理システム。
【請求項１３】
前記制御装置は、前記処理槽に供給される前記窒素量に基づき、前記放電装置に電圧を印加する電源の、電圧出力の波高値、繰り返し周波数又はパルス幅の少なくとも一つを制御することを特徴とする請求項１から請求項９のいずれか１項に記載の水処理システム。
【請求項１４】
前記処理槽の下流に配置され、前記処理水から硝酸を除去する硝酸除去部を備えることを特徴とする請求項１から請求項１３のいずれか１項に記載の水処理システム。
【請求項１５】
処理水を貯留する処理槽内に酸素及び窒素を供給する気体供給ユニットが、前記処理槽内へ酸素を供給するステップと、
放電装置が、放電を形成するステップと、
散水部が、アルカリ性廃水である被処理水を前記放電が形成される空間である放電空間内に供給するステップと、
ｐＨ計が、記放電空間を通過した前記被処理水である前記処理水のｐＨを計測するステップと、
制御装置が、前記ｐＨに基づき前記気体供給ユニットを制御し前記処理槽内に窒素を供給するステップと、
を備える水処理方法。
【発明の詳細な説明】
【技術分野】
【０００１】
本発明は、放電で生じたオゾンおよびラジカル等の酸化性粒子を用いて被処理水を処理する水処理システム及び水処理方法に関する。
【背景技術】
【０００２】
従来は、上下水の処理において、オゾンまたは塩素が広く用いられている。しかし、工業廃水等には、オゾンまたは塩素では分解できない難分解性物質が含まれることがあり問題となっている。この問題に対して、オゾンまたは塩素よりも活性の高いヒドロキシルラジカル（以下、ＯＨラジカルと記す）を放電により発生させ、工業廃水等の被処理水に作用させることで、被処理水に含まれる難分解性物質を除去する方法が提案されている。【０００３】
特許文献１に記載のアルキルスルホキシド含有廃液の処理方法では、被処理水を窒素と酸素を含む気体成分下、高圧放電空間中に通過させた後、生物処理を行う技術が開示されている。特許文献１に記載のアルキルスルホキシド含有廃液の処理方法では、気体供給手段により処理槽内に供給する窒素と酸素を調整し、高圧放電空間中を通過した後の被処理水である処理水のｐＨを４程度の酸性状態に調整することで、処理水の生物処理を効率的に行っている。
【先行技術文献】
【特許文献】
【０００４】
【特許文献１】特開２０１２−３５１９９
【発明の概要】
【発明が解決しようとする課題】
【０００５】
特許文献１に記載のアルキルスルホキシド含有廃液の処理方法では、予め決められた気体成分比で窒素と酸素の供給を行うため、処理水のｐＨに基づき処理水のｐＨを逐次調整することはできない。また、特許文献１に記載のアルキルスルホキシド含有廃液の処理方法は、アルキルスルホキシドを含む廃液に対してのみ適用可能であり、アルカリ性廃水に対しては効率的な処理を実行することができない。【０００６】
本発明は、処理水のｐＨに基づき処理水のｐＨを逐次調整することで、アルカリ性の被処理水中の有機化合物を効率的に処理可能な水処理システム及び水処理方法を得ることを目的とする。
【課題を解決するための手段】
【０００７】
本発明に係る水処理システムは、処理水を貯留する処理槽内に設けられ、放電を形成する放電装置と、処理槽内に設けられ、放電が形成される空間である放電空間内にアルカリ性廃水である被処理水を供給する散水部と、放電空間を通過した被処理水である処理水のｐＨを計測するｐＨ計と、処理槽内に酸素及び窒素を供給する気体供給ユニットと、ｐＨに基づき気体供給ユニットを制御して、処理槽内に供給される窒素量を調整する制御装置と、を備える。【０００８】
本発明に係る水処理システムは、処理槽の上流から供給されるアルカリ性廃水である被処理水を処理水として貯留する処理槽内に設けられ、放電を形成する放電装置と、処理槽内に設けられ、放電が形成される空間である放電空間内に処理水を供給する散水部と、放電空間を通過した被処理水である処理水のｐＨを計測するｐＨ計と、処理槽内に酸素及び窒素を供給する気体供給ユニットと、ｐＨに基づき気体供給ユニットを制御して、処理槽内に供給される窒素量を調整する制御装置と、を備える。【０００９】
本発明に係る水処理システムは、処理水を貯留する処理槽内に設けられ、放電を形成する放電装置と、処理槽内に設けられ、放電が形成される空間である放電空間内にアルカリ性廃水である被処理水を供給する散水部と、放電空間を通過した被処理水である処理水のｐＨを計測するｐＨ計と、被処理水を貯留する貯留槽と、処理槽内に酸素を供給する酸素供給部と、酸素供給部が供給する酸素の一部を用いて貯留槽に貯留された被処理水を曝気する曝気装置と、を有する気体供給ユニットと、ｐＨに基づき気体供給ユニットを制御して、貯留槽に供給される酸素量を調整する制御装置と、を備える。【００１０】
本発明に係る水処理方法は処理水を貯留する処理槽内に酸素及び窒素を供給する気体供給ユニットが、処理槽内へ酸素を供給するステップと、放電装置が、放電を形成するステップと、散水部が、アルカリ性廃水である被処理水を放電が形成される空間である放電空間内に供給するステップと、ｐＨ計が、記放電空間を通過した被処理水である処理水のｐＨを計測するステップと、制御装置が、ｐＨに基づき気体供給ユニットを制御し処理槽内に窒素を供給するステップと、を備える。
【発明の効果】
【００１１】
本発明に係る水処理システムは、処理水のｐＨに基づき処理水のｐＨを逐次調整できるため、アルカリ性の被処理水中の有機化合物を効率的に分解できる。【００１２】
本発明に係る水処理方法は、処理水のｐＨに基づき処理水のｐＨを逐次調整できるため、アルカリ性の被処理水中の有機化合物を効率的に分解できる。
【図面の簡単な説明】
【００１３】
【図１】実施の形態１に係る水処理システムの全体構成を示す概略図である。
【図２】実施の形態１に係る水処理システムの制御装置の構成を例示した図である。
【図３】実施の形態１に係る水処理システムの処理水のｐＨと、処理槽内に供給される窒素量との関係を例示した図である。
【図４】実施の形態１に係る水処理システムの制御フロー図である。
【図５】実施の形態２に係る水処理システムの全体構成を示す概略図である。
【図６】実施の形態３に係る水処理システムの全体構成を示す概略図である。
【図７】実施の形態３に係る水処理システムの処理水のｐＨと、処理槽内に供給される窒素量との関係を例示した図である。
【図８】実施の形態４に係る水処理システムの全体構成を示す概略図である。
【図９】実施の形態４に係る水処理システムの処理水のｐＨと、処理水の炭酸イオン濃度と、処理槽内に供給される窒素量との関係を例示した図である。
【図１０】実施の形態５に係る水処理システムの全体構成を示す概略図である。
【図１１】実施の形態６に係る水処理システムの全体構成を示す概略図である。
【図１２】実施の形態７に係る水処理システムの全体構成を示す概略図である。
【図１３】実施の形態８に係る水処理システムの全体構成を示す概略図である。
【発明を実施するための形態】
【００１４】
以下、添付図面を参照して、本願が開示する水処理システム及び水処理方法に係る実施の形態を詳細に説明する。なお、以下に示す実施の形態は一例であり、これらの実施の形態によって本発明が限定されるものではない。
【００１５】
実施の形態１．
本発明の実施の形態１に係る水処理システム１００の構成について説明する。図１は、実施の形態１に係る水処理システム１００の概略図である。図１に示すように水処理システム１００は、有機化合物を含むアルカリ性廃水（以下、被処理水１と称す）を貯留する貯留槽２と、貯留槽２から送られた被処理水１の有機化合物の分解処理を行い、処理水３を貯留する処理槽４と、処理槽４を通過した処理水３である処理後水５を貯留する処理水槽６と、を有する。また、水処理システム１００は、処理槽４内に酸素及び窒素を供給する気体供給ユニット２０を有する。また、処理槽４内の上部には、放電装置３０が設置される。また、水処理システム１００は、貯留槽２に貯留された被処理水１を処理槽４へと送る手段として、給水ポンプ７及び給水配管８を有する。また、水処理システム１００は、処理槽４内の処理水３を処理水槽６へと排出する手段として、排水ポンプ９及び排水配管１０を有する。また、水処理システム１００は、気体供給ユニット２０を制御して処理槽４内に供給される窒素量を調整する制御装置１２を有する。
以下、処理槽４の上流とは処理槽４へと被処理水１が供給される側、つまり、貯留槽２側を指し、処理槽４の下流とは処理槽４から処理水３が排出される側、つまり、処理水槽６側を指す。
【００１６】
被処理水１は、アルカリ性廃水であり、例えば、生活廃水、工場廃水、事業場廃水及び雨水の混合廃水、事業場廃水等の汚水、側溝等から雨水管を通じて集水される雨水、生活廃水又は工場廃水等である。
【００１７】
なお、アルカリ性廃水とは、被処理水１のｐＨが７より高い廃水又は処理中の分解生成物によって処理水３のｐＨが７より高い状態となる廃水を意味する。アルカリ性廃水は、例えば、シアン化合物、アミン化合物又はアミド化合物等を含む廃水である。
【００１８】
貯留槽２に貯留された被処理水１は、給水ポンプ７の稼働によって、給水配管８を介して処理槽４へと送られる。給水配管８の一端は貯留槽２の底部近傍に接続され、給水配管８の他端は処理槽４の内部の上方に配置された散水部１１に接続される。散水部１１は、筒状配管の側面に複数の細孔が形成され、放電装置３０によって放電３５が形成される空間である放電空間内へ被処理水１を供給する。なお、散水部１１による放電空間への被処理水１の供給方法としては、被処理水１を効率よく放電３５へと触れさせるために、放電空間内へ被処理水１を散布することが好ましい。
【００１９】
放電空間内へと被処理水１を供給する構成は、散水部１１に限定されるものではなく、放電空間内へと被処理水１を供給する構成として、例えば、スプレーノズル又はシャワープレートを用いることができる。また、散水部１１は、筒状である必要はない。また、散水部１１は必ずしも放電装置３０の上方にある必要はなく、放電装置３０の下方又は放電装置３０の側方から放電装置３０の放電空間内に向けて被処理水１を供給するようにしてもよい。
【００２０】
散水部１１から供給された被処理水１は、放電空間内を通過して、処理水３として処理槽４の底部に貯留される。処理槽４の底部に貯留された処理水３は、排水ポンプ９の稼働によって、排水配管１０を介して処理水槽６へと送られる。排水配管１０の一端は処理槽４の底部近傍に接続され、排水配管１０の他端は処理水槽６の底部近傍に接続される。
【００２１】
処理槽４の下流には、硝酸除去剤を用いて処理水３に溶解した硝酸を除去する硝酸除去部１３が設置される。具体的には、処理槽４の下流に設置された排水配管１０に、硝酸除去部１３が設置される。水処理システム１００は、硝酸除去部１３によって処理水３に溶解した硝酸が除去された処理後水５を処理水槽６に貯留することができる。なお、硝酸除去部１３は必須ではなく、処理対象とする被処理水１の素性又は処理後水５の排出基準に応じて要否を判断することができる。
【００２２】
被処理水１は、給水ポンプ７の稼働によって所定の流量で処理槽４へと供給される。処理槽４の底部に貯留された処理水３は、排水ポンプ９の稼働によって所定の流量で処理後水５として処理水槽６へと排出される。
なお、給水ポンプ７の稼働及び排水ポンプ９の稼働は、制御装置１２によって制御される。また、制御装置１２は、被処理水１が処理槽４に送られて処理後水５として処理水槽６へと排出されるまでの処理槽４の滞留時間に被処理水１に含まれる有機化合物を十分に分解できるように、処理槽４内に貯留される処理水３の量と、給水ポンプ７が被処理水１を処理槽４へと供給する流量と、排水ポンプ９が処理槽４の底部に貯留された処理水３を処理水槽６へと排出する流量とを調整する。
【００２３】
処理槽４の上部には、酸素供給口２１と、窒素供給口２２と、処理槽排気口２３とが設けられる。気体供給ユニット２０は、流量調節器２４と、酸素供給部２５と、窒素供給部２６とによって構成される。酸素供給口２１には流量調節器２４を介して処理槽４内に酸素を供給する酸素供給部２５が接続され、窒素供給口２２には処理槽４内に窒素を供給する窒素供給部２６が接続される。流量調節器２４は、酸素供給部２５が処理槽４内に供給する酸素流量を制御する。
【００２４】
酸素供給部２５は、例えば、ＰＳＡ（Ｐｒｅｓｓｕｒｅ  Ｓｗｉｎｇ  Ａｄｓｏｒｐｔｉｏｎ）等の空気から酸素を濃縮する酸素発生器、液化酸素からの気化ガス又は酸素ボンベを用いることができる。また、窒素供給部２６は、例えば、処理槽４の外の空気を処理槽４へと供給するエアポンプを用いることができる。また、窒素供給部２６は、例えば、窒素を含有するガスのボンベ、液化窒素からの気化ガス又はＰＳＡ等の空気から窒素を濃縮する窒素発生器を、流量調節手段と組み合わせて用いることができる。なお、処理槽４に窒素を供給する構成としては、処理槽４の外の空気を処理槽４へと供給するエアポンプを用いて、処理槽４に空気を取り込む構成が簡易に窒素を導入することができる。
【００２５】
処理槽４の内部には、処理槽４の底部に貯留された処理水３のｐＨを計測するｐＨ計２７が設置される。ｐＨ計２７は、制御装置１２と接続される。ｐＨ計２７は、計測した処理槽４内の処理水３のｐＨを制御装置１２へと出力する。
【００２６】
放電装置３０は、接地電極３１と、高圧電極３２と、高圧導体３３とによって構成される。接地電極３１及び高圧電極３２は金属材料からなる板状部材である。高圧導体３３は金属材料からなる棒状部材である。複数の高圧電極３２は、高圧導体３３に間隔をあけて鉛直方向に配置される。接地電極３１と高圧導体３３は、水平方向に交互に所定の間隔をあけて配置され、接地電極３１と高圧電極３２との間に放電空間が形成される。処理槽４の外部には放電装置３０に電圧を印加するパルス電源３４が備えられる。パルス電源３４の電圧出力端子は、高圧導体３３に接続される。パルス電源３４の電圧出力端子と高圧導体３３とを接続するケーブルは、絶縁部材によって覆われる。また、パルス電源３４の接地端子及び処理槽４は、電気的に接地される。なお、図１に示すＸ方向を水平方向、Ｙ方向を鉛直方向とする。
【００２７】
なお、放電装置は、実施の形態１の構成に限定されるものではなく、放電を形成できる構成であればよい。放電装置は、例えば、高圧電極と接地電極を同軸円筒型とした形態、板状電極が水平方向に対して傾斜して設けられ、ワイヤー電極と板状電極が対向配置された形態又は板状電極が水平方向に対して傾斜して設けられ、針電極と板状電極が対向配置された形態とすることもできる。
【００２８】
パルス電源３４から出力される電圧の極性、電圧波高値、繰り返し周波数及びパルス幅等は、電極構造及び処理槽４内のガス組成等の諸条件に応じて、適宜決定することができる。一般的に、電圧波高値が１ｋＶ未満の場合は、安定した放電が形成されず、電圧波高値が５０ｋＶ超の場合は、電気絶縁が困難であり、絶縁を担保するために著しくコストが増加する。また、電圧波高値が５０ｋＶ超の場合は、電源が大型化する。したがって、電圧波高値は、１ｋＶ以上５０ｋＶ以下に設定することが望ましい。
また、一般的に、繰り返し周波数が１０ｐｐｓ（ｐｕｌｓｅ−ｐｅｒ−ｓｅｃｏｎｄ）未満の場合は、十分な放電電力を投入するために非常に高い電圧が必要となり、繰り返し周波数が１００ｋｐｐｓ超の場合は、電圧パルスが印加されてから次の電圧パルスが印加されるまでの電圧休止期間が短くなる。電圧休止期間が短くなると、高電圧パルスが印加される直前に放電空間に残留するイオン又は電子等の荷電粒子の残留量が増加し、あるいは放電により生じる熱によって放電空間の温度が上昇し、放電空間にスパーク放電が発生し易くなる。したがって、繰り返し周波数は、１０ｐｐｓ以上１００ｋｐｐｓ以下に設定することが望ましい。
【００２９】
なお、放電装置３０に電圧を印加する電源は、パルス電源に限定されるものではなく、放電装置３０への電圧の印加によって安定した放電が形成できるものであれば、交流電源または直流電源であってもよい。
【００３０】
制御装置１２は、ｐＨ計２７によって計測された処理槽４の底部に貯留された処理水３のｐＨに基づき窒素供給部２６を制御して、処理槽４内部に供給される窒素量を調整する。なお、制御装置１２による処理水３のｐＨに基づいた処理槽４内に供給される窒素量の調整については、後で詳述する。
【００３１】
また、制御装置１２は、流量調節器２４を制御して、酸素供給部２５が処理槽４内に供給する酸素流量を制御する。なお、酸素供給部２５が処理槽４内に供給する酸素流量は、水処理システムの処理流量又は被処理水１中の有機物濃度等に応じて決定される。
【００３２】
さらに、制御装置１２は、給水ポンプ７、排水ポンプ９及びパルス電源３４の稼働を制御する。図２は、制御装置１２の構成を例示した図である。制御装置１２は、図２に示すようなＣＰＵ１０００がメモリ１００１に記憶されたプログラムを実行するソフトウェア制御によって実現することが可能である。
【００３３】
次に、処理槽４において、被処理水１及び処理水３中の有機化合物が分解される原理について説明する。なお、ここでは有機化合物の分解を例にとって説明するが、放電で生じるオゾン及びＯＨラジカル等が除菌、脱色、及び脱臭に有効であることは周知である。処理槽４内の酸素分子（Ｏ２）と被処理水１及び処理水３の一部が気化して生じた水分子（Ｈ２Ｏ）は、放電３５によって生じた高エネルギーの電子と衝突し、式（１）及び式（２）に示す解離反応が生じる。なお、ｅは電子、Ｏは原子状酸素、Ｈは原子状水素、ＯＨはＯＨラジカルである。
ｅ＋Ｏ２→ｅ＋２Ｏ                （１）
ｅ＋Ｈ２Ｏ→ｅ＋Ｈ＋ＯＨ          （２）
【００３４】
式（１）に示す反応で発生した原子状酸素の多くは、式（３）に示す反応によってオゾン（Ｏ３）となる。なお、式（３）に示す反応において、Ｍは反応の第三体であり、気中のあらゆる分子及び原子を表す。
Ｏ＋Ｏ２＋Ｍ→Ｏ３＋Ｍ            （３）
また、式（２）に示す反応で生じたＯＨラジカルの一部は、式（４）に示す反応によって過酸化水素（Ｈ２Ｏ２）となる。
ＯＨ＋ＯＨ→Ｈ２Ｏ２              （４）
【００３５】
式（１）から式（４）に示す反応によって生成された酸化性粒子（Ｏ、ＯＨ、Ｏ３、Ｈ２Ｏ２）は、式（５）に示す反応によって処理槽４内を落下する被処理水１の有機化合物を酸化分解する。特にＯＨラジカルは、難分解性物質を含む多くの有機化合物と迅速に反応する。なお、Ｒは分解対象となる有機化合物である。
Ｒ＋（Ｏ、ＯＨ、Ｏ３、Ｈ２Ｏ２）→分解生成物              （５）
【００３６】
また、有機化合物と反応しなかった原子状酸素とＯＨラジカルは、式（３）及び式（４）に示す反応によって長寿命のオゾンと過酸化水素となり、その一部は、式（６）及び式（７）に示す反応によって被処理水１に溶解する。なお、（ｌｉｑ．）は液相を意味する。
Ｏ３→Ｏ３（ｌｉｑ．）                  （６）
Ｈ２Ｏ２→Ｈ２Ｏ２（ｌｉｑ．）          （７）
【００３７】
さらに、Ｈ２Ｏ２（ｌｉｑ．）の一部は、被処理水１及び処理水３中で式（８）に示す反応によってＨＯ２−とＨ＋に解離する。
Ｈ２Ｏ２（ｌｉｑ．）⇔ＨＯ２−＋Ｈ＋                  （８）
式（８）に示す反応は、右辺と左辺で平衡状態にある。さらに、ＨＯ２−とＯ３（ｌｉｑ．）は、式（９）に示す反応によって被処理水１及び処理水３中でＯＨ（ｌｉｑ．）を生成する。
ＨＯ２−＋Ｏ３→ＯＨ（ｌｉｑ．）＋Ｏ２−＋Ｏ２          （９）
【００３８】
式（６）から式（９）に示す反応によって生成されたＯ３（ｌｉｑ．）、Ｈ２Ｏ２（ｌｉｑ．）及びＯＨ（ｌｉｑ．）は式（１０）に示す水中反応によって被処理水１及び処理水３中の有機化合物を分解する。特にＯＨ（ｌｉｑ．）は、難分解性物質を含む多くの有機化合物と迅速に反応する。
Ｒ＋（Ｏ３（ｌｉｑ．）、Ｈ２Ｏ２（ｌｉｑ．）、ＯＨ（ｌｉｑ．））
→分解生成物      （１０）
【００３９】
処理槽４における水処理は、気中に存在する酸化性粒子による分解（式（５））と、水中に存在する酸化性粒子による分解（式（１０））による被処理水１中の有機化合物の分解と、水中に存在する酸化性粒子による分解（式（１０））による処理水３中の有機化合物の分解とによって進行する。一般に、被処理水１が放電空間内を通過する時間と比較して、処理水３は長い時間処理槽４の底部に貯留されるため、有機化合物の分解反応は主に処理槽４の底部に貯留された処理水３での水中反応（式（１０））によって進行する。
【００４０】
次に、実施の形態１に係る水処理システム１００における処理水３中の有機化合物の分解と、処理水３のｐＨの関係について説明する。式（５）及び式（１０）に示す反応によって被処理水１及び処理水３中の有機化合物は、最終的に無機炭素と水にまで分解される。式（５）及び式（１０）に示す反応によって生成される無機炭素は、式（１１）及び式（１２）に示される平衡状態にある。なお、ＣＯ２は二酸化炭素、ＨＣＯ３−は重炭酸イオン、ＣＯ３２−は炭酸イオンである。
ＣＯ２＋Ｈ２Ｏ⇔ＨＣＯ３−＋Ｈ＋      （１１）
ＨＣＯ３−⇔ＣＯ３２−＋Ｈ＋          （１２）
【００４１】
式（１１）及び式（１２）に示す反応において無機炭素の主な物質は、一般にｐＨが６未満では二酸化炭素であり、ｐＨが６以上８．５未満では重炭酸イオンであり、ｐＨが８．５以上では炭酸イオンとなる。二酸化炭素は気体として被処理水１及び処理水３から迅速に脱離するが、重炭酸イオンと炭酸イオンは、被処理水１及び処理水３中に留まりそれぞれ式（１３）及び式（１４）に示す反応によりＯＨ（ｌｉｑ．）と反応する。
ＯＨ（ｌｉｑ．）＋ＨＣＯ３−→反応生成物      （１３）
ＯＨ（ｌｉｑ．）＋ＣＯ３２−→反応生成物      （１４）
式（１３）に示す反応の反応速度は、Ｋ＝１×１０７（ｍｏｌ／Ｌ／ｓ）であり、式（１４）に示す反応の反応速度は、Ｋ＝４×１０８（ｍｏｌ／Ｌ／ｓ）である。つまり、炭酸イオンとＯＨ（ｌｉｑ．）との反応速度は、重炭素イオンとＯＨ（ｌｉｑ．）との反応速度と比較して、１桁以上も高い。一般的な有機化合物とＯＨ（ｌｉｑ．）との反応速度は、Ｋ＝１×１０７〜１×１０１０（ｍｏｌ／Ｌ／ｓ）であるため、被処理水１及び処理水３中の炭酸イオン濃度が高まると、有機化合物とＯＨ（ｌｉｑ．）の反応が阻害され、効率的な水処理が行われなくなる。
【００４２】
また、式（８）に示す平衡反応は、処理水３のｐＨが高いほど右辺寄りとなる。したがって、式（９）に示す反応によるＯＨ（ｌｉｑ．）の生成速度は、処理水３のｐＨが高いほど大きくなり、処理水３のｐＨが６未満では著しく低下する。一方、炭酸イオンの蓄積は、処理水３のｐＨが高いほど、より具体的には処理水３のｐＨが８．５程度以上において顕著となる。また、ｐＨが８．５を超えるようなアルカリ性廃水では、ＯＨ（ｌｉｑ．）の無効消費反応が顕著に生じ、効率的に有機化合物を分解することができない。以上のことから、実施の形態１において、処理水３のｐＨを６以上８．５以下とすることが、放電で生成された酸化性粒子による有機化合物の分解の観点で好適である。
【００４３】
次に、実施の形態１に係る水処理システム１００おいて、処理水３のｐＨを調整する動作について説明する。窒素供給部２６を動作させない場合、処理槽４の内部は、酸素供給部２５から供給された酸素と、被処理水１の揮発で生じた水蒸気との混合状態にある。窒素供給部２６を動作させると処理槽４に窒素（Ｎ２）が供給されるため、処理槽４の内部は、酸素と、窒素と、水蒸気とを含む混合ガスの雰囲気となる。処理槽４の内部が、酸素と、窒素と、水蒸気とを含む混合ガスの雰囲気の場合、窒素は放電３５に触れることで式（１５）に示す反応により原子状窒素（Ｎ）となる。
ｅ＋Ｎ２→ｅ＋２Ｎ              （１５）
【００４４】
原子状窒素は、式（１）に示す反応によって生じた原子状酸素と結合し、式（１６）に示す反応によって一酸化窒素（ＮＯ）を生成する。
Ｏ＋Ｎ＋Ｍ→ＮＯ＋Ｍ            （１６）
一酸化窒素は、式（１７）と式（１８）に示す反応によって二酸化窒素（ＮＯ２）と三酸化窒素（ＮＯ３）を生成する。
ＮＯ＋Ｏ３→ＮＯ２＋Ｏ２          （１７）
ＮＯ２＋Ｏ３→ＮＯ３＋Ｏ２          （１８）
【００４５】
さらに、式（１９）に示す反応によって二酸化窒素と三酸化窒素が結合することで、五酸化二窒素（Ｎ２Ｏ５）が生じる。
ＮＯ２＋ＮＯ３→Ｎ２Ｏ５            （１９）
また、式（２０）に示す反応によって五酸化二窒素が水と反応することで硝酸（ＨＮＯ３）が生成される。
Ｎ２Ｏ５＋Ｈ２Ｏ→２ＨＮＯ３        （２０）
また、二酸化窒素は、式（２１）に示す反応によって、式（２）に示す反応によって生じたＯＨ又は式（９）に示す反応によって生じたＯＨ（ｌｉｑ．）と反応して硝酸となる。
ＮＯ２＋ＯＨ→ＨＮＯ３            （２１）
【００４６】
式（２０）及び式（２１）に示す反応は、気中及び水中の両方で生じえる。すなわち、気中で生じた硝酸が被処理水１及び処理水３に溶解する場合と、二酸化窒素又は五酸化二窒素が被処理水１及び処理水３に溶解して硝酸となる場合とがある。いずれの場合においても、硝酸によって処理水３のｐＨは低下する。
【００４７】
式（１５）から式（２１）に示す反応の反応速度は、処理槽４内のガス組成、放電３５の状態、及び被処理水１及び処理水３と処理槽４内ガスとの接触状態に依存する。また、式（１５）から式（２１）に示す反応の反応速度は、処理槽４内の窒素濃度に大きく依存するため、処理槽４内に供給される窒素量を調整することで硝酸の生成速度を、さらには処理水３のｐＨを調整することができる。
【００４８】
図３は、実施の形態１に係る水処理システム１００の処理水３のｐＨと処理槽４内に供給される窒素量との関係を例示した図である。制御装置１２による処理水３のｐＨに基づいた処理槽４内に供給される窒素量の調整について、図３を用いて説明する。
なお、処理槽４内に供給される窒素量とは、図３の斜線で示す窒素流量と時間との積である。
【００４９】
図３（ａ）に示すように、処理水３のｐＨが設定値を超える場合は、制御装置１２は、窒素供給部２６を制御して一定の流量で外気（窒素）を処理槽４内に供給する。制御装置１２が窒素供給部２６を制御することによって処理槽４内に窒素が供給されると、前述の反応により硝酸が生成され、処理水３のｐＨは低下する。処理水３のｐＨが設定値以下の場合は、制御装置１２は、窒素供給部２６を停止させる。制御装置１２が窒素供給部２６を停止させると、処理槽４内の窒素濃度の低下によって硝酸生成速度が低下し、貯留槽２から送られるアルカリ性廃水である被処理水１によって処理水３のｐＨは上昇する。なお、制御装置１２は、処理水３のｐＨに関わらず、酸素供給部２５からの酸素の供給を継続する。
【００５０】
制御装置１２は、処理水３のｐＨが設定値よりも高い場合に窒素供給部２６が処理槽４内に供給する窒素流量を増加させ、処理水３のｐＨが設定値よりも低い場合に窒素供給部２６が処理槽４内に供給する窒素流量を減少させることで、処理水３のｐＨに基づき処理槽４内に供給される窒素量を調整して処理水３のｐＨを設定値の近傍に調整する。
【００５１】
また、ｐＨの設定値は、処理対象とする対象廃水の成分等に応じて決定される値であり、有機化合物の分解の観点で好適な６以上８．５以下の値に設定することができ、例えば、ｐＨ＝７である。処理水３のｐＨの設定値を中性（ｐＨ＝７）とする理由は、窒素濃度の変化に対する処理水３のｐＨの応答性が高くないためである。窒素濃度の変化に対する処理水３のｐＨの応答性が高くないため、処理水３のｐＨは設定値からオーバーシュートする。したがって、処理水３のｐＨが設定値からオーバーシュートした場合でも処理水３のｐＨを有機化合物の分解の観点で好適な６以上８．５以下に調整するために、処理水３のｐＨの設定値を中性（ｐＨ＝７）とする。
【００５２】
なお、水処理システム１００は、処理水３のｐＨが予め決められた分解の観点で好適な範囲内の値となるように処理水３のｐＨに基づき処理槽４内へ供給される窒素量を調整できればよく、例えば、処理槽４内に窒素を供給するための設定値（第１設定値）と、処理槽４内への窒素の供給を停止するための設定値（第２設定値）とをそれぞれ異なる値に設定してもよい。
【００５３】
また、図３（ｂ）に示すように、制御装置１２は、処理水３のｐＨの計測値と、設定値との差に応じて、窒素供給部２６が処理槽４内に供給する窒素流量を変化させるように制御することもできる。つまり、制御装置１２は、処理水３のｐＨが設定値よりも高い場合において、処理水３のｐＨが設定値よりも高いほど窒素供給部２６が処理槽４内に供給する窒素流量を高くし、処理水３のｐＨが設定値よりも低い場合には窒素供給部２６を停止する。なお、図３（ｂ）では、処理水３のｐＨが設定値よりも低い場合には窒素供給部２６を停止する構成としたが、処理水３のｐＨが設定値よりも低いほど窒素供給部２６が処理槽４内に供給する窒素流量を減少させる構成としてもよい。
図３（ｂ）に示すように制御装置１２を用いて窒素供給部２６を制御することによって、図３（ａ）に示すように制御装置１２を用いて窒素供給部２６を制御する場合と比較して、より高い精度での処理水３のｐＨの調整が可能となる。
【００５４】
なお、制御装置１２を用いた処理槽４内への窒素の供給量の制御方法として、フィードバック制御等の公知の制御方法を用いることができるのはいうまでもない。また、水処理システム１００の水処理方法として、制御装置１２がｐＨ計２７によって計測された処理槽４内の処理水３のｐＨに基づき窒素供給部２６のみを制御する構成を説明したが、ｐＨ計２７によって計測された処理槽４内の処理水３のｐＨに基づき流量調節器２４及び窒素供給部２６を制御して処理槽４内に供給される酸素量及び窒素量の比率を調整する構成としてもよい。
【００５５】
図４は、実施の形態１に係る水処理システム１００の制御フロー図である。水処理システム１００を用いた水処理方法の手順について、図４に示す制御フロー図を用いて説明する。なお、被処理水１はアルカリ性であり、処理水３のｐＨの設定値を中性（ｐＨ＝７）とする場合について説明する。
【００５６】
ステップＳ１では、制御装置１２が流量調節器２４を動作させることで、酸素供給部２５は、流量調節器２４を介して酸素供給口２１から処理槽４内部へと酸素を供給し、処理槽４の内部を高酸素濃度雰囲気とする。処理槽４の内部に供給された酸素量と同等量の気体が処理槽排気口２３を通って処理槽４から排気される。
【００５７】
ステップＳ２では、制御装置１２がパルス電源３４を動作して高圧導体３３にパルス状の高電圧を印加することで、放電装置３０は、接地電極３１と高圧電極３２の間である放電空間に放電３５を形成する。
【００５８】
ステップＳ３では、制御装置１２は、給水ポンプ７及び排水ポンプ９を稼働させる。貯留槽２に貯留された被処理水１は、給水ポンプ７によってくみ上げられ、給水配管８を介して散水部１１から供給される。散水部１１から供給された被処理水１は放電空間内をシャワー状に落下し、被処理水１の一部は接地電極３１に付着して水膜状に落下する。被処理水１が放電空間内を通過する際に放電３５と接触し、被処理水１中の有機化合物が酸化分解される。被処理水１は放電３５で生成された酸化性粒子を取り込み、放電空間内を通過後、処理水３として処理槽４の底部に貯留される。処理槽４の底部に貯留された処理水３は、取り込まれた酸化性粒子の反応によって、処理水３中の有機化合物が酸化分解される。処理槽４の底部に貯留された処理水３は、排水ポンプ９によって排水配管１０を介して処理水槽６へと送られる。
【００５９】
ステップＳ４では、ｐＨ計２７は、処理槽４の底部に貯留された処理水３のｐＨを計測し、計測したｐＨを制御装置１２へと出力する。制御装置１２は、受信したｐＨを設定値と比較する。ｐＨ計２７によって計測された処理水３のｐＨが設定値を超える場合はステップＳ５へと進み、ｐＨ計２７によって計測された処理水３のｐＨが設定値以下の場合はステップＳ６へと進む。
【００６０】
ステップＳ５では、制御装置１２は、窒素供給部２６を稼働させ、処理槽４内に窒素を供給する。ステップＳ６では、制御装置１２は、窒素供給部２６を停止させる。
【００６１】
実施の形態１に係る水処理システム１００は、制御装置１２がｐＨ計２７によって計測された処理槽４内の処理水３のｐＨに基づき窒素供給部２６を制御して、処理槽４内に供給される窒素量を調整することで、処理水３のｐＨを調整することができる。したがって、水処理システム１００は、放電により生成された酸化性粒子により、アルカリ性廃水中の有機化合物を効率的に分解可能となり、効率的な水処理を行うことができる。
【００６２】
実施の形態１に係る水処理システムは、処理水を貯留する処理槽内に設けられ、放電を形成する放電装置と、処理槽内に設けられ、放電が形成される空間である放電空間内にアルカリ性廃水である被処理水を供給する散水部と、放電空間を通過した被処理水である処理水のｐＨを計測するｐＨ計と、処理槽内に酸素及び窒素を供給する気体供給ユニットと、ｐＨに基づき気体供給ユニットを制御して、処理槽内に供給される窒素量を調整する制御装置と、を備える。
【００６３】
また、実施の形態１に係る水処理システムの制御装置は、処理水のｐＨが予め決められた値となるように処理槽内に供給される窒素量を調整することを特徴とする。
【００６４】
また、実施の形態１に係る水処理システムの制御装置は、ｐＨが設定値を超える場合に気体供給ユニットによって供給される窒素量を増加させ、ｐＨが設定値以下の場合に気体供給ユニットによって供給される窒素量を減少させることを特徴とする。
【００６５】
また、処理槽の下流に配置され、処理槽で処理された後の処理水から硝酸を除去する硝酸除去部を備えることを特徴とする。
【００６６】
以上の構成によって、実施の形態１に係る水処理システム１００は、被処理水のｐＨが変動した場合又は処理過程で分解生成物によって処理水のｐＨが変動した場合でも、制御装置によって処理槽内の窒素濃度を逐次調整するため、処理水のｐＨを設定値へと調整することができる。したがって、実施の形態１に係る水処理システム１００は、処理水３中の有機化合物を効率的に分解可能となり、効率的な水処理を行うことができる。
【００６７】
また、実施の形態１に係る水処理システム１００は、処理水のｐＨに応じて処理槽内に供給される窒素量を調整するため、処理槽の内部で過剰な硝酸を生成することなく、ｐＨの調整に必要な量の硝酸を生成することができる。したがって、実施の形態１に係る水処理システム１００は、処理後水中の全窒素濃度を抑制することができる。
【００６８】
また、実施の形態１に係る水処理システム１００は、薬剤の注入なしに処理水のｐＨの調整が可能であるため、薬剤貯蔵設備及び薬剤注入設備を備える必要がなく、装置の簡素化と低コスト化が可能となる。また、実施の形態１に係る水処理システム１００は、ｐＨの調整のために定期的に薬剤を補充する必要がないため、運転の簡素化と運転コストの削減が可能となる。
【００６９】
実施の形態１に係る水処理方法は、処理水を貯留する処理槽内に酸素及び窒素を供給する気体供給ユニットが、処理槽内へ酸素を供給するステップと、放電装置が、放電を形成するステップと、散水部が、アルカリ性廃水である被処理水を放電が形成される空間である放電空間内に供給するステップと、ｐＨ計が、記放電空間を通過した被処理水である処理水のｐＨを計測するステップと、制御装置が、ｐＨに基づき気体供給ユニットを制御し処理槽内に窒素を供給するステップと、を備える。
【００７０】
以上の構成によって、実施の形態１に係る水処理方法は、処理水のｐＨに基づいて処理槽内に供給される窒素量を調整し、処理水のｐＨを逐次調整できるため、処理水３中の有機化合物を効率的に分解できる。
【００７１】
実施の形態２．
本発明の実施の形態２に係る水処理システム２００の構成について説明する。なお、実施の形態１と同一または対応する構成については、その説明を省略し、構成の異なる部分のみを説明する。
【００７２】
図５は、実施の形態２に係る水処理システム２００の概略図である。図５に示すように、水処理システム２００は、処理槽４の上方部に設けられた吸気口４１と、処理槽４の底部に貯留された処理水３に浸漬配置された散気部４２と、吸気口４１と散気部４２とを連通する循環配管４３と、を備える。循環配管４３には、吸気口４１から処理槽４内の気体を吸入し、散気部４２に吸気口４１から吸入した気体を供給する循環ポンプ４４が備えられる。散気部４２は、処理水３に吸気口４１から吸入された処理槽４内の気体を供給する。散気部４２、循環配管４３及び循環ポンプ４４は、気体循環部４０を構成している。
【００７３】
なお、気体循環部４０は、必ずしも散気部４２、循環配管４３及び循環ポンプ４４から構成される必要はなく、例えば、循環ポンプ４４の替わりにブロワー又はコンプレッサなどを用いることもできる。また、気体を直接循環させるのではなく、処理槽４の底部に貯留された処理水３をポンプで循環させるとともに、エジェクター等により処理槽４内の気体を吸入して混合するようにしてもよい。つまり、気体循環部４０の構成は、処理槽４内の気体が処理水３と接触するように気体が循環できれば、散気部４２、循環配管４３及び循環ポンプ４４に限定されるものではない。
【００７４】
実施の形態１に係る水処理システム１００では、気中で生じた硝酸が被処理水１及び処理水３に溶解する場合と、二酸化窒素又は五酸化二窒素が被処理水１及び処理水３に溶解して硝酸となる場合とによって処理水３のｐＨは低下する。しかし、気中で生じた硝酸、二酸化窒素及び五酸化二窒素によって処理水３のｐＨが低下する過程は、長時間を要するため、処理槽４内の窒素濃度を変化させてから処理水３のｐＨが変化するまでの応答時間が長くなる。
【００７５】
一方、実施の形態２に係る水処理システム２００では、気中で生じた硝酸、二酸化窒素及び五酸化二窒素は、気体循環部４０によって処理槽４の底部に貯留された処理水３に供給され、迅速に処理水３に溶解する。したがって、実施の形態２に係る水処理システム２００は、処理槽４内の窒素濃度の変化に対する処理水３のｐＨの応答性が向上するため、処理水３のｐＨが目標のｐＨに近い状態で効率的な水処理を実行することができる。
【００７６】
実施の形態２に係る水処理システムは、処理槽内の気体を吸入し、処理槽に貯留された処理水に気体を供給する気体循環部を備える。
【００７７】
以上の構成によって実施の形態２に係る水処理システム２００は、処理槽内の窒素濃度の変化に対する処理水のｐＨの応答性が向上するため、処理水のｐＨが目標のｐＨに近い状態で維持され、効率的な水処理を実行することができる。
【００７８】
実施の形態３．
本発明の実施の形態３に係る水処理システム３００の構成について説明する。なお、実施の形態１と同一または対応する構成については、その説明を省略し、構成の異なる部分のみを説明する。
【００７９】
図６は、実施の形態３に係る水処理システム３００の概略図である。図６に示すように、水処理システム３００は、実施の形態１に係る水処理システム１００と同様の構成である。
実施の形態３に係る水処理システム３００は、処理水３のｐＨが設定値よりも高い場合に、所定の時間空気を供給し続ける空気供給時と、所定の時間空気の供給を止めるｐＨ安定化時を交互に行う構成である。つまり、実施の形態３に係る水処理システム３００の制御装置１２は、窒素供給部２６を間欠動作で制御する。
【００８０】
実施の形態１に係る水処理システム１００は、処理水３のｐＨが設定値よりも高い場合に、窒素供給部２６を動作させて、処理槽４に対して連続的に空気を導入する構成である。しかし、処理槽４内の窒素濃度の変化と、処理水３のｐＨの変化とには時間差が生じるため、処理水３のｐＨが設定値を下回り、処理水３のｐＨが設定値からオーバーシュートすることがある。処理水３のｐＨが設定値を下回り酸性となると、必要量以上の硝酸が処理水３に取り込まれ全窒素濃度が高まることに加え、処理水３のｐＨが設定値から外れることによって有機化合物の分解速度が遅くなる。したがって、処理水３のｐＨが設定値からオーバーシュートしないように処理水３のｐＨを設定値の近傍で安定的に調整することが望ましい。
【００８１】
図７は、実施の形態３に係る水処理システム３００の処理水３のｐＨと処理槽４内に供給される窒素量との関係を例示した図である。実施の形態３に係る水処理システム３００では、処理水３のｐＨが設定値を上回る場合に、一定の流量で所定の時間窒素を供給し続ける窒素供給時と、所定の時間窒素の供給を止めるｐＨ安定化時を交互に行う。つまり、制御装置１２は、窒素供給時のみ窒素供給部２６を動作させ、ｐＨ安定化時は窒素供給部２６を停止させる。
【００８２】
制御装置１２は、窒素供給部２６を間欠動作で制御するため、処理水３のｐＨは設定値に対して漸近的に近づく。したがって、水処理システム３００は、処理水３のｐＨが設定値からオーバーシュートすることを抑制することができる。水処理システム３００では、結果的に過剰な硝酸の生成が抑制されるため、処理水３のｐＨが設定値に近い状態で維持され、効率的な水処理を実行することができる。
【００８３】
実施の形態３に係る水処理システムの気体供給ユニットは、処理槽内に酸素を供給する酸素供給部と、処理槽内に窒素を供給する窒素供給部とを備え、制御装置は、窒素供給部を間欠動作で制御して処理槽内に供給される窒素量を調整することを特徴とする。
【００８４】
以上の構成によって、実施の形態３に係る水処理システム３００は、処理水のｐＨが設定値からオーバーシュートすることを抑制でき、高効率な水処理を実行することができる。
【００８５】
実施の形態４．
本発明の実施の形態４に係る水処理システム４００の構成について説明する。なお、実施の形態１と同一または対応する構成については、その説明を省略し、構成の異なる部分のみを説明する。
【００８６】
図８は、実施の形態４に係る水処理システム４００の概略図である。図８に示すように水処理システム４００は、処理槽４の内部に処理槽４の底部に貯留された処理水３の炭酸イオン濃度を計測する炭酸イオン濃度計５１が設置される。
実施の形態４に係る水処理システム４００では、処理水３のｐＨに加えて、処理水３の炭酸イオン濃度に基づき処理水３のｐＨを調整する。
【００８７】
炭酸イオン濃度計５１は、制御装置１２と接続される。炭酸イオン濃度計５１は、計測した処理槽４の底部に貯留された処理水３の炭酸イオン濃度を制御装置１２へと出力する。
【００８８】
図９は、実施の形態４に係る水処理システム４００の処理水３のｐＨと、処理水３の炭酸イオン濃度と、処理槽４内に供給される窒素量との関係を例示した図である。図９に示すように、制御装置１２は、ｐＨ計２７によって計測された処理槽４の底部に貯留された処理水３のｐＨと、炭酸イオン濃度計５１によって計測された処理槽４の底部に貯留された処理水３の炭酸イオン濃度とがいずれも設定値を超えた場合に、窒素供給部２６が処理槽４内に供給する窒素流量を増加させ、ｐＨ計２７によって計測された処理槽４の底部に貯留された処理水３のｐＨと、炭酸イオン濃度計５１によって計測された処理槽４の底部に貯留された処理水３の炭酸イオン濃度と、の少なくとも一方が設定値以下の場合に窒素供給部２６が処理槽４内に供給する窒素流量を減少させる。
【００８９】
つまり、制御装置１２は、処理水３のｐＨと炭酸イオン濃度がいずれも設定値を超える場合に窒素供給部２６によって供給される窒素量を増加させ、処理水３のｐＨと炭酸イオン濃度の少なくとも一方が設定値以下の場合に窒素供給部２６によって供給される窒素量を減少させる。
【００９０】
なお、ｐＨの設定値は、処理対象とする水の素性又は排出基準に応じて決定される値であり、例えば、ｐＨ＝７である。また、炭酸イオン濃度の設定値は、処理対象とする有機化合物の物性及び濃度等に応じて決定される値であり、例えば、処理対象とする有機化合物の１０％以上１００％以下である。
【００９１】
処理水３のｐＨが高い状況では、処理水３中の炭酸イオン濃度が高まり、式（１４）に示す反応によってＯＨ（ｌｉｑ．）を無効消費し水処理の効率が低下する。しかし、被処理水１の有機化合物の濃度が低い場合と、処理後水５の有機化合物濃度を被処理水１と比べて大幅に減らす必要がない場合とでは、処理水３のｐＨが設定値より高い状態であっても、処理水３の炭酸イオン濃度は比較的低く抑えられ、式（１４）に示す反応によるＯＨ（ｌｉｑ．）の無効消費合反応はあまり問題とならない。
【００９２】
処理水３のｐＨが設定値より高い状態であっても、式（１４）に示す反応によるＯＨ（ｌｉｑ．）の無効消費合反応が問題とならない場合は、硝酸を生成して処理水３のｐＨを低下させる必要はなく、硝酸を生成せずに処理水３の全窒素濃度を増加させないことが望ましい。一方、処理水３のｐＨと、処理水３中の炭酸イオン濃度とがいずれも設定値を超えており、処理水３中の有機化合物の分解反応を阻害する状況においては、処理水３のｐＨを調整して効率的な水処理を行うことが好適である。
【００９３】
実施の形態４に係る水処理システムは、処理槽に貯留された処理水の炭酸イオン濃度を計測する炭酸イオン濃度計を備え、制御装置は、ｐＨと炭酸イオン濃度がいずれも設定値を超える場合に気体供給ユニットによって供給される窒素量を増加させ、ｐＨと炭酸イオン濃度の少なくとも一方が設定値以下の場合に気体供給ユニットによって供給される窒素量を減少させることを特徴とする。
【００９４】
以上の構成によって、実施の形態４に係る水処理システム４００は、不必要な硝酸の生成を抑制して、処理水中の全窒素濃度の増加を抑制するとともに、効果的な有機化合物の分解が行われる。
【００９５】
実施の形態５．
本発明の実施の形態５に係る水処理システム５００の構成について説明する。なお、実施の形態１と同一または対応する構成については、その説明を省略し、構成の異なる部分のみを説明する。
【００９６】
図１０は、実施の形態５に係る水処理システム５００の概略図である。図１０に示すように水処理システム５００は、気体供給ユニット２０としてＰＳＡ（Ｐｒｅｓｓｕｒｅ  Ｓｗｉｎｇ  Ａｄｓｏｒｐｔｉｏｎ）酸素発生器６１が接続される。
【００９７】
ＰＳＡ酸素発生器６１は、ゼオライト等の吸着材に対する酸素と窒素の吸着特性の差を利用して、空気から酸素を分離するものである。すなわち、加圧下で空気が吸着材を通過する際、比較的吸着されやすい窒素が選択的に吸着され、比較的吸着されにくい酸素は通過する。つまり、ＰＳＡ酸素発生器６１は、ゼオライト等の吸着材に対する酸素と窒素の吸着特性を利用して、吸着材の加圧と減圧を繰り返すことで、空気から高純度の酸素を取り出すものである。
【００９８】
ＰＳＡ酸素発生器６１で生成される酸素の純度、すなわち不純物として含まれる窒素濃度は、ＰＳＡ酸素発生器６１の動作条件によって変化する。具体的には、吸着材に投入する空気の圧力が高く供給される空気量が少ないほど高純度の酸素が得られ、投入する空気の圧力が低く供給される空気量が多いほど低純度の酸素が得られる。
【００９９】
水処理システム５００では、気体供給ユニットとしてＰＳＡ酸素発生器を用いる場合について示したが、例えば、ＶＰＳＡ（Ｖａｃｕｕｍ  Ｐｒｅｓｓｕｒｅ  Ｓｗｉｎｇ  Ａｄｓｏｒｐｔｉｏｎ）方式又は深冷式酸素発生器等を用いてもよい。
【０１００】
制御装置１２は、処理水３のｐＨが設定値を超える場合にＰＳＡ酸素発生器６１によって処理槽４内に供給される酸素の純度を低下させる。つまり、制御装置１２は、処理水３のｐＨが設定値を超える場合に処理槽４内に供給される窒素量を増加させる。
【０１０１】
高純度の酸素を得るためには、コストを要するため、実施の形態１に示すように酸素供給部２５によって高純度の酸素を処理槽４内に供給しつつ、処理水３のｐＨに基づいて窒素供給部２６を制御して処理槽４内に供給される窒素量を調整するよりも、実施の形態５に示すように処理水３のｐＨに基づいてＰＳＡ酸素発生器６１を制御して処理槽４内に供給される窒素量を調整する方がコストを抑制することができる。
【０１０２】
実施の形態５に係る水処理システムの気体供給ユニットは、空気から酸素を分離する酸素発生器であることを特徴とする。
【０１０３】
以上の構成によって、実施の形態５に係る水処理システム５００は、処理水のｐＨに基づき空気から酸素を分離する酸素発生器を制御して、処理槽に供給される窒素量を調整するため、消費電力を抑制することができる。
【０１０４】
実施の形態６．
本発明の実施の形態６に係る水処理システム６００の構成について説明する。なお、実施の形態１と同一または対応する構成については、その説明を省略し、構成の異なる部分のみを説明する。
【０１０５】
図１１は、実施の形態６に係る水処理システム６００の概略図である。図１１に示すように水処理システム６００は、酸素供給部２５から供給される酸素の一部を貯留槽２に貯留される被処理水１へと供給する構成である。なお、図１１では、水処理システム６００は窒素供給部２６を備えない構成を例示しているが、水処理システム６００は窒素供給部２６を備える構成としてもよい。
【０１０６】
水処理システム６００の気体供給ユニット２０は、貯留槽２に貯留された被処理水１に浸漬配置された曝気部７１と、一端が酸素供給部２５と流量調節器２４との間の配管に接続され、他端が曝気部７１とに接続された曝気配管７２と、を有する。また、曝気配管７２は、酸素供給部２５が被処理水１に供給する酸素流量を調整する供給量調節器７３を有する。また、貯留槽２の上部には、貯留槽排気口７４が設けられる。曝気部７１、曝気配管７２及び供給量調節器７３は、曝気装置７０を構成している。
【０１０７】
被処理水１中の緩衝成分が少ない場合は、処理水３に少量の硝酸が溶解することによって処理水３のｐＨが設定値を大幅に下回り、水処理の効率が損なわれるおそれがある。また、被処理水１中の緩衝成分が少ない場合は、処理槽４内に窒素を供給しない場合でも、被処理水１に溶解した溶存窒素が処理槽４内で窒素分圧の減少に伴い揮発して硝酸が生じ処理水３のｐＨが著しく低下するおそれがある。
【０１０８】
水処理システム６００は、緩衝成分が少ない被処理水１に対して曝気を行い、緩衝成分が少ない被処理水１中の溶存窒素を酸素へと置換する。水処理システム６００の制御装置１２は、処理水３のｐＨが設定値以下の場合に供給量調節器７３を制御して曝気部７１へ供給する酸素流量を増加させ、処理水３のｐＨが設定値を超える場合に供給量調節器７３を制御して曝気部７１へ供給する酸素流量を減少させる。
【０１０９】
実施の形態６に係る水処理システムは、処理水を貯留する処理槽内に設けられ、放電を形成する放電装置と、処理槽内に設けられ、放電が形成される空間である放電空間内にアルカリ性廃水である被処理水を供給する散水部と、放電空間を通過した被処理水である処理水のｐＨを計測するｐＨ計と、被処理水を貯留する貯留槽と、処理槽内に酸素を供給する酸素供給部と、酸素供給部が供給する酸素の一部を用いて貯留槽に貯留された被処理水を曝気する曝気装置と、を有する気体供給ユニットと、ｐＨに基づき気体供給ユニットを制御して、貯留槽に供給される酸素量を調整する制御装置と、を備える。
【０１１０】
また、実施の形態６に係る水処理システムの制御装置は、ｐＨが設定値以下の場合に酸素供給部が曝気装置へ供給する酸素流量を増加させ、ｐＨが設定値を超える場合に酸素供給部が曝気装置へ供給する酸素流量を減少させることを特徴とする。
【０１１１】
以上の構成によって、実施の形態６に係る水処理システム６００は、少量の硝酸によってｐＨが著しく変化するような処理水に対しても、効果的にｐＨを調整することができ、高効率な水処理を実行できる。また、実施の形態６では、生成される硝酸の量が微量であるため、硝酸除去部を設置する必要がなく、装置の簡素化が可能となる。
【０１１２】
実施の形態７．
本発明の実施の形態７に係る水処理システム７００の構成について説明する。なお、実施の形態１と同一または対応する構成については、その説明を省略し、構成の異なる部分のみを説明する。実施の形態１では、パルス電源３４の逐次制御を行わない構成であったが、実施の形態７に係る水処理システム７００は、パルス電源３４の逐次制御を行う構成である。
【０１１３】
放電装置３０によって形成される放電３５は、気体供給ユニット２０によって処理槽４に窒素が供給されると処理槽４内のガス組成が変化するため、特性が変化する。一般に、放電３５を形成するのに必要な電圧は、処理槽４内の窒素濃度が高くなるに従い低下する。つまり、印加電圧が一定の場合に処理槽４内の窒素濃度が高くなると放電エネルギーが増加する。放電エネルギーの増加によって、放電３５が不安定化することにより、水処理効率の低下又はスパーク放電が発生するおそれがある。
しかし、実施の形態７に係る水処理システム７００では、パルス電源３４の逐次制御を行うため、処理槽４内の窒素濃度が変化した場合でも、放電３５を安定的に形成することができる。
【０１１４】
図１２は、実施の形態７に係る水処理システム７００の概略図である。図１２に示すように水処理システム７００の制御装置１２は、処理槽４に供給される窒素量又はパルス電源３４から送られる電流もしくは電圧出力信号に基づき、パルス電源３４の電圧出力の波高値、繰り返し周波数又はパルス幅の少なくとも一つを制御する構成である。
【０１１５】
パルス電源３４は、制御装置１２と接続される。パルス電源３４は、パルス電源３４の電圧出力信号又は電流出力信号の少なくとも一つを制御装置１２へと出力する。
【０１１６】
また、制御装置１２は、パルス電源３４の電圧出力信号又は電流出力信号を受信し、放電３５の形成状態が正常であるかを判断し、放電３５の形成状態が正常ではない場合に、パルス電源３４の電圧出力の波高値、繰り返し周波数又はパルス幅の少なくとも一つを制御する構成としてもよい。
【０１１７】
実施の形態７に係る水処理システムの制御装置は、放電装置に電圧を印加する電源の、電圧出力信号又は電流出力信号の少なくとも一つに基づき、電源の、電圧出力の波高値、繰り返し周波数又はパルス幅の少なくとも一つを制御することを特徴とする。
【０１１８】
実施の形態７に係る水処理システムの制御装置は、処理槽に供給される窒素量に基づき、放電装置に電圧を印加する電源の、電圧出力の波高値、繰り返し周波数又はパルス幅の少なくとも一つを制御することを特徴とする。
【０１１９】
以上の構成によって、実施の形態７に係る水処理システム７００は、処理槽内の窒素濃度が変化した場合でも、放電を安定的に形成し、高効率な水処理を行うことができる。
【０１２０】
実施の形態８．
本発明の実施の形態８に係る水処理システム８００の構成について説明する。なお、実施の形態１と同一または対応する構成については、その説明を省略し、構成の異なる部分のみを説明する。
【０１２１】
図１３は、実施の形態８に係る水処理システム８００の概略図である。図１３に示すように水処理システム８００は、処理槽４の底部に貯留された処理水３を、散水部１１から放電装置３０の放電空間へと供給する処理水循環部８０を備える構成である。
【０１２２】
水処理システム８００は、一端が処理槽４の底部近傍に接続され、他端が散水部１１に接続された水循環配管８１を有する。水循環配管８１には、水循環ポンプ８２が備えられる。処理水循環部８０は、水循環配管８１及び水循環ポンプ８２によって構成される。
【０１２３】
給水配管８の一端は貯留槽２の底部近傍に接続され、給水配管８の他端は処理槽４の底部近傍に接続される。給水配管８には、給水ポンプ７が備えられる。
【０１２４】
水処理システム８００では、被処理水１は、給水ポンプ７の稼働によって給水配管８を介して所定の流量で処理水３として処理槽４へと供給される。処理水３は、水循環ポンプ８２の稼働によって水循環配管８１を介して散水部１１から放電装置３０の放電空間内へと供給される。処理槽４の底部に貯留された処理水３は、排水ポンプ９の稼働によって所定の流量で処理後水５として処理水槽６へと排出される。
【０１２５】
被処理水１の有機化合物濃度が高い場合及び被処理水１が難分解性物質を含む場合は、被処理水１は放電装置３０の放電空間内を一度通過したのみでは十分な処理が行われない場合がある。しかし、実施の形態８に係る水処理システム８００は、水循環ポンプ８２を稼働させて、処理水３を、水循環配管８１を介して散水部１１から放電装置３０の放電空間内へと供給することによって、処理水３を循環させながら繰り返し処理する構成である。
【０１２６】
水処理システム８００は、処理水３を放電装置３０の放電空間内へと繰り返し供給するため、被処理水１の有機化合物濃度が高い場合と、難分解性物質を含む場合とにおいても効果的な水処理を行うことができる。また、水処理システム８００は、処理水３を放電装置３０の放電空間内へと繰り返し供給するため、放電装置３０で生成された硝酸、二酸化窒素及び五酸化二窒素が迅速に処理水３に溶解し、処理槽内の窒素濃度の変化に対する処理水３のｐＨの応答性が向上する。したがって、水処理システム８００は、処理水３のｐＨを目標のｐＨに近い状態に維持でき、効率的な水処理を実行することができる。
【０１２７】
制御装置１２は、給水ポンプ７及び排水ポンプ９の稼働の制御に加えて、水循環ポンプ８２の稼働を制御する。
なお、給水ポンプ７が被処理水１を処理槽４へと供給する流量と、水循環ポンプ８２が処理水３を散水部１１へと供給する流量と、排水ポンプ９が処理槽４の底部に貯留された処理水３を処理水槽６へと排出する流量とは被処理水１が処理槽４に送られて処理水槽６へと排出されるまでの期間に処理水３に含まれる有機化合物を分解処理できる流量である。
【０１２８】
実施の形態８に係る水処理システムは、処理槽の上流から供給されるアルカリ性廃水である被処理水を処理水として貯留する処理槽内に設けられ、放電を形成する放電装置と、処理槽内に設けられ、放電が形成される空間である放電空間内に処理水を供給する散水部と、放電空間を通過した被処理水である処理水のｐＨを計測するｐＨ計と、処理槽内に酸素及び窒素を供給する気体供給ユニットと、ｐＨに基づき気体供給ユニットを制御して、処理槽内に供給される窒素量を調整する制御装置と、を備える。
【０１２９】
以上の構成によって、実施の形態８に係る水処理システム８００は、被処理水１の有機化合物濃度が高い場合と、難分解性物質を含む場合とにおいても効果的な水処理を行うことができる。また、処理槽内の窒素濃度の変化に対する処理水のｐＨの応答性が向上するため、処理水のｐＨが目標のｐＨに近い状態で維持され、効率的な水処理を実行することができる。
【０１３０】
本発明は、発明の範囲内において、各実施の形態を自由に組み合わせることや、各実施の形態を適宜、変形、省略することが可能である。
【符号の説明】
【０１３１】
１００，２００，３００，４００，５００，６００，７００，８００  水処理システム、
１  被処理水、２  貯留槽、３  処理水、４  処理槽、５  処理後水、６  処理水槽、
７  給水ポンプ、８  給水配管、９  排水ポンプ、１０  排水配管、１１  散水部、
１２  制御装置、１３  硝酸除去部、
２０  気体供給ユニット、２１  酸素供給口、２２  窒素供給口、２３  処理槽排気口、
２４  流量調節器、２５  酸素供給部、２６  窒素供給部、２７  ｐＨ計、
３０  放電装置、３１  接地電極、３２  高圧電極、３３  高圧導体、３４  パルス電源、
３５  放電、
４０  気体循環部、４１  吸気口、４２  散気部、４３  循環配管、４４  循環ポンプ、
５１  炭酸イオン濃度計、
６１  ＰＳＡ酸素発生器、
７１  曝気部、７２  曝気配管、７３  供給量調節器、７４  貯留槽排気口、
８０  処理水循環部、８１  水循環配管、８２  水循環ポンプ、
１０００  ＣＰＵ、１００１  メモリ。
【図１】
2020021635.tif 000003
【図２】
2020021635.tif 000004
【図３】
2020021635.tif 000005
【図４】
2020021635.tif 000006
【図５】
2020021635.tif 000007
【図６】
2020021635.tif 000008
【図７】
2020021635.tif 000009
【図８】
2020021635.tif 000010
【図９】
2020021635.tif 000011
【図１０】
2020021635.tif 000012
【図１１】
2020021635.tif 000013
【図１２】
2020021635.tif 000014
【図１３】
2020021635.tif 000015
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨが設定値よりも高い場合に、前記気体供給ユニットを制御して、前記処理槽内に供給される窒素量を増加させ、前記ｐＨが前記設定値よりも低い場合に、前記気体供給ユニットを制御して、前記処理槽内に供給される前記窒素量を減少させる制御装置と、
を備える水処理システム。
【請求項２】
処理槽の上流から供給されるアルカリ性廃水である被処理水を処理水として貯留する前記処理槽内に設けられ、放電を形成する放電装置と、
前記処理槽内に設けられ、前記放電が形成される空間である放電空間内に前記処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨが設定値よりも高い場合に、前記気体供給ユニットを制御して、前記処理槽内に供給される窒素量を増加させ、前記ｐＨが前記設定値よりも低い場合に、前記気体供給ユニットを制御して、前記処理槽内に供給される前記窒素量を減少させる制御装置と、
を備える水処理システム。
【請求項３】
前記処理槽に貯留された前記処理水を前記散水部へと送る水循環部を備える請求項１または請求項２に記載の水処理システム。
【請求項４】
前記処理槽内の気体を吸入し、前記処理槽に貯留された前記処理水に前記気体を供給する気体循環部を備える請求項１から請求項３のいずれか１項に記載の水処理システム。
【請求項５】
前記気体供給ユニットは、前記処理槽内に酸素を供給する酸素供給部と、前記処理槽内に窒素を供給する窒素供給部とを備え、
前記制御装置は、前記窒素供給部を間欠動作で制御して前記処理槽内に供給される窒素量を調整することを特徴とする請求項１から請求項４のいずれか１項に記載の水処理システム。
【請求項６】
前記気体供給ユニットは、空気から酸素を分離する酸素発生器であることを特徴とする請求項１から請求項４のいずれか１項に記載の水処理システム。
【請求項７】
前記制御装置は、前記処理水のｐＨが予め決められた値となるように前記処理槽内に供給される窒素量を調整することを特徴とする請求項１から請求項６のいずれか１項に記載の水処理システム。
【請求項８】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨに基づき前記気体供給ユニットを制御して、前記処理槽内に供給される窒素量を調整する制御装置と、
前記処理槽に貯留された前記処理水の炭酸イオン濃度を計測する炭酸イオン濃度計と、を備える水処理システムであって、
前記制御装置は、前記ｐＨと前記炭酸イオン濃度がいずれも設定値を超える場合に前記気体供給ユニットによって供給される窒素量を増加させ、前記ｐＨと前記炭酸イオン濃度の少なくとも一方が設定値以下の場合に前記気体供給ユニットによって供給される前記窒素量を減少させることを特徴とする水処理システム。
【請求項９】
処理槽の上流から供給されるアルカリ性廃水である被処理水を処理水として貯留する前記処理槽内に設けられ、放電を形成する放電装置と、
前記処理槽内に設けられ、前記放電が形成される空間である放電空間内に前記処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨに基づき前記気体供給ユニットを制御して、前記処理槽内に供給される窒素量を調整する制御装置と、
前記処理槽に貯留された前記処理水の炭酸イオン濃度を計測する炭酸イオン濃度計と、を備える水処理システムであって、
前記制御装置は、前記ｐＨと前記炭酸イオン濃度がいずれも設定値を超える場合に前記気体供給ユニットによって供給される窒素量を増加させ、前記ｐＨと前記炭酸イオン濃度の少なくとも一方が設定値以下の場合に前記気体供給ユニットによって供給される窒素量を減少させることを特徴とする水処理システム。
【請求項１０】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記被処理水を貯留する貯留槽と、
前記処理槽内に酸素を供給する酸素供給部と、前記酸素供給部が供給する酸素の一部を用いて前記貯留槽に貯留された前記被処理水を曝気する曝気装置と、を有する気体供給ユニットと、
前記ｐＨが設定値以下の場合に、前記気体供給ユニットを制御して、前記貯留槽に供給される酸素量を増加させ、前記ｐＨが前記設定値を超える場合に、前記気体供給ユニットを制御して、前記処理槽内に供給される前記酸素量を減少させる制御装置と、
を備える水処理システム。
【請求項１１】
前記制御装置は、前記ｐＨが設定値以下の場合に前記酸素供給部が前記曝気装置へ供給する酸素流量を増加させ、前記ｐＨが設定値を超える場合に前記酸素供給部が前記曝気装置へ供給する酸素流量を減少させることを特徴とする請求項１０に記載の水処理システム。
【請求項１２】
前記制御装置は、前記放電装置に電圧を印加する電源の、電圧出力信号又は電流出力信号の少なくとも一つに基づき、前記電源の、電圧出力の波高値、繰り返し周波数又はパルス幅の少なくとも一つを制御することを特徴とする請求項１から請求項１１のいずれか１項に記載の水処理システム。
【請求項１３】
前記制御装置は、前記処理槽に供給される前記窒素量に基づき、前記放電装置に電圧を印加する電源の、電圧出力の波高値、繰り返し周波数又はパルス幅の少なくとも一つを制御することを特徴とする請求項１から請求項９のいずれか１項に記載の水処理システム。
【請求項１４】
前記処理槽の下流に配置され、前記処理水から硝酸を除去する硝酸除去部を備えることを特徴とする請求項１から請求項１３のいずれか１項に記載の水処理システム。
【請求項１５】
処理水を貯留する処理槽内に酸素及び窒素を供給する気体供給ユニットが、前記処理槽内へ酸素を供給するステップと、
放電装置が、放電を形成するステップと、
散水部が、アルカリ性廃水である被処理水を前記放電が形成される空間である放電空間内に供給するステップと、
ｐＨ計が、記放電空間を通過した前記被処理水である前記処理水のｐＨを計測するステップと、
制御装置が、前記ｐＨが設定値よりも高い場合に、前記気体供給ユニットを制御し前記処理槽内に供給する窒素量を増加させ、前記ｐＨが前記設定値よりも低い場合に、前記気体供給ユニットを制御して、前記処理槽内に供給する前記窒素量を減少させるステップと、
を備える水処理方法。
【請求項１６】
処理水を貯留する処理槽内に酸素及び窒素を供給する気体供給ユニットが、前記処理槽内へ酸素を供給するステップと、
放電装置が、放電を形成するステップと、
散水部が、アルカリ性廃水である被処理水を前記放電が形成される空間である放電空間内に供給するステップと、
ｐＨ計が、記放電空間を通過した前記被処理水である前記処理水のｐＨを計測するステップと、
炭酸イオン濃度計が、前記処理槽に貯留された前記処理水の炭酸イオン濃度を計測するステップと、
制御装置が、前記ｐＨと前記炭酸イオン濃度がいずれも設定値を超える場合に前記気体供給ユニットによって供給する窒素量を増加させ、前記ｐＨと前記炭酸イオン濃度の少なくとも一方が前記設定値以下の場合に前記気体供給ユニットによって供給する前記窒素量を減少させるステップと、
を備える水処理方法。
【手続補正２】
【補正対象書類名】明細書
【補正対象項目名】０００７
【補正方法】変更
【補正の内容】
【０００７】
本発明に係る水処理システムは、処理水を貯留する処理槽内に設けられ、放電を形成する放電装置と、処理槽内に設けられ、放電が形成される空間である放電空間内にアルカリ性廃水である被処理水を供給する散水部と、放電空間を通過した被処理水である処理水のｐＨを計測するｐＨ計と、処理槽内に酸素及び窒素を供給する気体供給ユニットと、ｐＨが設定値よりも高い場合に、気体供給ユニットを制御して、処理槽内に供給される窒素量を増加させ、ｐＨが設定値よりも低い場合に、気体供給ユニットを制御して、処理槽内に供給される窒素量を減少させる制御装置と、を備える。
【手続補正３】
【補正対象書類名】明細書
【補正対象項目名】０００８
【補正方法】変更
【補正の内容】
【０００８】
本発明に係る水処理システムは、処理槽の上流から供給されるアルカリ性廃水である被処理水を処理水として貯留する処理槽内に設けられ、放電を形成する放電装置と、処理槽内に設けられ、放電が形成される空間である放電空間内に処理水を供給する散水部と、放電空間を通過した被処理水である処理水のｐＨを計測するｐＨ計と、処理槽内に酸素及び窒素を供給する気体供給ユニットと、ｐＨが設定値よりも高い場合に、気体供給ユニットを制御して、処理槽内に供給される窒素量を増加させ、ｐＨが設定値よりも低い場合に、気体供給ユニットを制御して、処理槽内に供給される窒素量を減少させる制御装置と、を備える。
【手続補正４】
【補正対象書類名】明細書
【補正対象項目名】０００９
【補正方法】変更
【補正の内容】
【０００９】
本発明に係る水処理システムは、処理水を貯留する処理槽内に設けられ、放電を形成する放電装置と、処理槽内に設けられ、放電が形成される空間である放電空間内にアルカリ性廃水である被処理水を供給する散水部と、放電空間を通過した被処理水である処理水のｐＨを計測するｐＨ計と、被処理水を貯留する貯留槽と、処理槽内に酸素を供給する酸素供給部と、酸素供給部が供給する酸素の一部を用いて貯留槽に貯留された被処理水を曝気する曝気装置と、を有する気体供給ユニットと、ｐＨが設定値以下の場合に、気体供給ユニットを制御して、貯留槽に供給される酸素量を増加させ、前記ｐＨが前記設定値を超える場合に、前記気体供給ユニットを制御して、前記処理槽内に供給される前記酸素量を減少させる制御装置と、を備える。
【手続補正５】
【補正対象書類名】明細書
【補正対象項目名】００１０
【補正方法】変更
【補正の内容】
【００１０】
本発明に係る水処理方法は処理水を貯留する処理槽内に酸素及び窒素を供給する気体供給ユニットが、処理槽内へ酸素を供給するステップと、放電装置が、放電を形成するステップと、散水部が、アルカリ性廃水である被処理水を放電が形成される空間である放電空間内に供給するステップと、ｐＨ計が、放電空間を通過した被処理水である処理水のｐＨを計測するステップと、制御装置が、ｐＨが設定値よりも高い場合に、気体供給ユニットを制御し処理槽内に窒素を増加させ、ｐＨが設定値よりも低い場合に、気体供給ユニットを制御して、処理槽内に供給する窒素量を減少させるステップと、を備える。
【手続補正６】
【補正対象書類名】明細書
【補正対象項目名】００６９
【補正方法】変更
【補正の内容】
【００６９】
実施の形態１に係る水処理方法は、処理水を貯留する処理槽内に酸素及び窒素を供給する気体供給ユニットが、処理槽内へ酸素を供給するステップと、放電装置が、放電を形成するステップと、散水部が、アルカリ性廃水である被処理水を放電が形成される空間である放電空間内に供給するステップと、ｐＨ計が、放電空間を通過した被処理水である処理水のｐＨを計測するステップと、制御装置が、ｐＨに基づき気体供給ユニットを制御し処理槽内に窒素を供給するステップと、を備える。
【手続補正７】
【補正対象書類名】明細書
【補正対象項目名】００９１
【補正方法】変更
【補正の内容】
【００９１】
処理水３のｐＨが高い状況では、処理水３中の炭酸イオン濃度が高まり、式（１４）に示す反応によってＯＨ（ｌｉｑ．）を無効消費し水処理の効率が低下する。しかし、被処理水１の有機化合物の濃度が低い場合と、処理後水５の有機化合物濃度を被処理水１と比べて大幅に減らす必要がない場合とでは、処理水３のｐＨが設定値より高い状態であっても、処理水３の炭酸イオン濃度は比較的低く抑えられ、式（１４）に示す反応によるＯＨ（ｌｉｑ．）の無効消費反応はあまり問題とならない。
【手続補正８】
【補正対象書類名】明細書
【補正対象項目名】００９２
【補正方法】変更
【補正の内容】
【００９２】
処理水３のｐＨが設定値より高い状態であっても、式（１４）に示す反応によるＯＨ（ｌｉｑ．）の無効消費反応が問題とならない場合は、硝酸を生成して処理水３のｐＨを低下させる必要はなく、硝酸を生成せずに処理水３の全窒素濃度を増加させないことが望ましい。一方、処理水３のｐＨと、処理水３中の炭酸イオン濃度とがいずれも設定値を超えており、処理水３中の有機化合物の分解反応を阻害する状況においては、処理水３のｐＨを調整して効率的な水処理を行うことが好適である。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨが設定値よりも高い場合に、前記気体供給ユニットを制御して、前記処理槽内に供給される窒素量を増加させ、前記ｐＨが前記設定値よりも低い場合に、前記気体供給ユニットを制御して、前記処理槽内に供給される前記窒素量を減少させる制御装置と、
を備える水処理システム。
【請求項２】
処理槽の上流から供給されるアルカリ性廃水である被処理水を処理水として貯留する前記処理槽内に設けられ、放電を形成する放電装置と、
前記処理槽内に設けられ、前記放電が形成される空間である放電空間内に前記処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨが設定値よりも高い場合に、前記気体供給ユニットを制御して、前記処理槽内に供給される窒素量を増加させ、前記ｐＨが前記設定値よりも低い場合に、前記気体供給ユニットを制御して、前記処理槽内に供給される前記窒素量を減少させる制御装置と、
を備える水処理システム。
【請求項３】
前記処理槽に貯留された前記処理水を前記散水部へと送る水循環部を備える請求項１または請求項２に記載の水処理システム。
【請求項４】
前記処理槽内の気体を吸入し、前記処理槽に貯留された前記処理水に前記気体を供給する気体循環部を備える請求項１から請求項３のいずれか１項に記載の水処理システム。
【請求項５】
前記気体供給ユニットは、前記処理槽内に酸素を供給する酸素供給部と、前記処理槽内に窒素を供給する窒素供給部とを備え、
前記制御装置は、前記窒素供給部を間欠動作で制御して前記処理槽内に供給される窒素量を調整することを特徴とする請求項１から請求項４のいずれか１項に記載の水処理システム。
【請求項６】
前記気体供給ユニットは、空気から酸素を分離する酸素発生器であることを特徴とする請求項１から請求項４のいずれか１項に記載の水処理システム。
【請求項７】
前記制御装置は、前記処理水のｐＨが予め決められた値となるように前記処理槽内に供給される窒素量を調整することを特徴とする請求項１から請求項６のいずれか１項に記載の水処理システム。
【請求項８】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨに基づき前記気体供給ユニットを制御して、前記処理槽内に供給される窒素量を調整する制御装置と、
前記処理槽に貯留された前記処理水の炭酸イオン濃度を計測する炭酸イオン濃度計と、を備える水処理システムであって、
前記制御装置は、前記ｐＨと前記炭酸イオン濃度がいずれも設定値を超える場合に前記気体供給ユニットによって供給される窒素量を増加させ、前記ｐＨと前記炭酸イオン濃度の少なくとも一方が設定値以下の場合に前記気体供給ユニットによって供給される前記窒素量を減少させることを特徴とする水処理システム。
【請求項９】
処理槽の上流から供給されるアルカリ性廃水である被処理水を処理水として貯留する前記処理槽内に設けられ、放電を形成する放電装置と、
前記処理槽内に設けられ、前記放電が形成される空間である放電空間内に前記処理水を供給する散水部と、
前記放電空間を通過した前記被処理水である前記処理水のｐＨを計測するｐＨ計と、
前記処理槽内に酸素及び窒素を供給する気体供給ユニットと、
前記ｐＨに基づき前記気体供給ユニットを制御して、前記処理槽内に供給される窒素量を調整する制御装置と、
前記処理槽に貯留された前記処理水の炭酸イオン濃度を計測する炭酸イオン濃度計と、を備える水処理システムであって、
前記制御装置は、前記ｐＨと前記炭酸イオン濃度がいずれも設定値を超える場合に前記気体供給ユニットによって供給される窒素量を増加させ、前記ｐＨと前記炭酸イオン濃度の少なくとも一方が設定値以下の場合に前記気体供給ユニットによって供給される窒素量を減少させることを特徴とする水処理システム。
【請求項１０】
処理水を貯留する処理槽内に設けられ、放電を形成する放電装置と、
前記処理槽内に設けられ、前記放電が形成される空間である放電空間内にアルカリ性廃水である被処理水を供給する散水部と、
前記放電空間を通過した前記被処理水である前記処理水のｐＨを計測するｐＨ計と、
前記被処理水を貯留する貯留槽と、
前記処理槽内に酸素を供給する酸素供給部と、前記酸素供給部が供給する酸素の一部を用いて前記貯留槽に貯留された前記被処理水を曝気する曝気装置と、を有する気体供給ユニットと、
前記ｐＨが設定値以下の場合に、前記気体供給ユニットを制御して、前記貯留槽に供給される酸素量を増加させ、前記ｐＨが前記設定値を超える場合に、前記気体供給ユニットを制御して、前記処理槽内に供給される前記酸素量を減少させる制御装置と、
を備える水処理システム。
【請求項１１】
前記制御装置は、前記ｐＨが設定値以下の場合に前記酸素供給部が前記曝気装置へ供給する酸素流量を増加させ、前記ｐＨが設定値を超える場合に前記酸素供給部が前記曝気装置へ供給する酸素流量を減少させることを特徴とする請求項１０に記載の水処理システム。
【請求項１２】
前記制御装置は、前記放電装置に電圧を印加する電源の、電圧出力信号又は電流出力信号の少なくとも一つに基づき、前記電源の、電圧出力の波高値、繰り返し周波数又はパルス幅の少なくとも一つを制御することを特徴とする請求項１から請求項１１のいずれか１項に記載の水処理システム。
【請求項１３】
前記制御装置は、前記処理槽に供給される前記窒素量に基づき、前記放電装置に電圧を印加する電源の、電圧出力の波高値、繰り返し周波数又はパルス幅の少なくとも一つを制御することを特徴とする請求項１から請求項９のいずれか１項に記載の水処理システム。
【請求項１４】
前記処理槽の下流に配置され、前記処理水から硝酸を除去する硝酸除去部を備えることを特徴とする請求項１から請求項９のいずれか１項に記載の水処理システム。
【請求項１５】
処理水を貯留する処理槽内に酸素及び窒素を供給する気体供給ユニットが、前記処理槽内へ酸素を供給するステップと、
放電装置が、放電を形成するステップと、
散水部が、アルカリ性廃水である被処理水を前記放電が形成される空間である放電空間内に供給するステップと、
ｐＨ計が、記放電空間を通過した前記被処理水である前記処理水のｐＨを計測するステップと、
制御装置が、前記ｐＨが設定値よりも高い場合に、前記気体供給ユニットを制御し前記処理槽内に供給する窒素量を増加させ、前記ｐＨが前記設定値よりも低い場合に、前記気体供給ユニットを制御して、前記処理槽内に供給する前記窒素量を減少させるステップと、
を備える水処理方法。
【請求項１６】
処理水を貯留する処理槽内に酸素及び窒素を供給する気体供給ユニットが、前記処理槽内へ酸素を供給するステップと、
放電装置が、放電を形成するステップと、
散水部が、アルカリ性廃水である被処理水を前記放電が形成される空間である放電空間内に供給するステップと、
ｐＨ計が、記放電空間を通過した前記被処理水である前記処理水のｐＨを計測するステップと、
炭酸イオン濃度計が、前記処理槽に貯留された前記処理水の炭酸イオン濃度を計測するステップと、
制御装置が、前記ｐＨと前記炭酸イオン濃度がいずれも設定値を超える場合に前記気体供給ユニットによって供給する窒素量を増加させ、前記ｐＨと前記炭酸イオン濃度の少なくとも一方が前記設定値以下の場合に前記気体供給ユニットによって供給する前記窒素量を減少させるステップと、
を備える水処理方法。
【国際調査報告】
2020021635.tif 000016
2020021635.tif 000017
2020021635.tif 000018
2020021635.tif 000019